(57)【特許請求の範囲】
【請求項１】
住居の壁面に固定して使用される化粧パネルであって、
主パネルと、
前記主パネルよりも寸法が小さい副パネルと、
前記主パネル及び前記副パネルの背面側に配置され、前記主パネルと前記副パネルとを連結するブラケットと、を備え、
前記主パネルと前記副パネルは、前記主パネルの基部の表面と前記副パネルの基部の表面とが略同一平面となるように隣り合って配置され、
前記ブラケットは、前記主パネルを固定する主パネル固定部と、前記副パネルを固定する副パネル固定部と、を有し、
前記主パネル固定部から前記副パネル固定部までの寸法が変更可能に構成されていることを特徴とする化粧パネル。
【請求項２】
前記主パネルから前記副パネル固定部までの寸法は、前記主パネル固定部の位置を変更することによって変更可能に構成されていることを特徴とする請求項１に記載の化粧パネル。
【請求項３】
前記主パネルの側面部に切り欠きが形成され、
前記ブラケットは、前記切り欠きに配置されていることを特徴とする請求項２に記載の化粧パネル。
【請求項４】
前記副パネル及び前記ブラケットの少なくとも一方が磁性材料によって形成され、
前記副パネルは、磁石を介して前記ブラケットに固定されていることを特徴とする請求項３に記載の化粧パネル。
【発明の詳細な説明】
【技術分野】
【０００１】
本発明は、住居の壁面に固定して使用される化粧パネルに関する。
【背景技術】
【０００２】
住居内外における通話に用いられるインターホン装置が普及している。住居内に設置される室内端末は、住居の壁面に対して固定されることが一般的である。住居の壁には開口が形成されており、室内端末は、当該開口を挿通する配線によって室外端末と通信可能に接続されている。
【０００３】
特許文献１には、室内端末（壁掛けコントローラ装置）と壁面との間に配置される化粧パネル（取付板）が記載されている。当該化粧パネルは、壁面に固定され、室内端末を壁面に対して固定する。
【０００４】
このような化粧パネルは、室内端末の取り替えを行う際等に好適である。つまり、壁面のうち、室内端末が固定されていた箇所に汚損が生じている場合に、当該汚損箇所を化粧パネルで遮蔽することにより、壁面の意匠性を維持することができる。
【０００５】
また、壁に形成されている開口の寸法や位置が、新たに設置する室内端末に適したものでない場合に、当該開口を化粧パネルで遮蔽することにより、新たな室内端末の固定を適切に行うことができる。近年、室内端末の小型化や高機能化が進んでおり、取り替え需要も増加していることから、このような化粧パネルへの要求は高まる傾向にある。
【先行技術文献】
【特許文献】
【０００６】
【特許文献１】特開２０１６−８２１９６号公報
【発明の概要】
【発明が解決しようとする課題】
【０００７】
化粧パネルの寸法は、壁に形成された開口を覆うとともに、室内端末を固定することができるものにする必要がある。一方、化粧パネルにより意匠性の低下を抑制するために、化粧パネルの寸法は可及的に小さくしたいという要求もある。このような要求に対応するため、化粧パネルの提供者は、互いに寸法が異なる複数の化粧パネルを用意する必要があった。このため、化粧パネルの保管に多くの手間やコストを要していた。
【０００８】
本発明はこのような課題に鑑みてなされたものであり、その目的は、全体の寸法を変更可能であるとともに、保管が容易な化粧パネルを提供することにある。
【課題を解決するための手段】
【０００９】
上記課題を解決するために、本発明に係る化粧パネルは、主パネルと、主パネルと隣り合うように配置され、主パネルよりも寸法が小さい副パネルと、主パネル及び副パネルの背面側に配置され、主パネルと副パネルとを連結するブラケットと、を備える。ブラケットは、主パネルを固定する主パネル固定部と、副パネルを固定する副パネル固定部と、を有する。主パネルから副パネル固定部までの寸法が変更可能に構成されている。
【００１０】
この構成によれば、主パネルから副パネル固定部までの寸法が変更可能であるため、種々の寸法の副パネルを主パネルと隣り合うように配置して固定することが可能になる。つまり、用意された種々の寸法の副パネルの中から、ブラケットに固定する副パネルを選択することにより、化粧パネル全体の寸法を変更することができる。
【００１１】
また、この構成によれば、副パネルの寸法は主パネルのものよりも小さいため、種々の寸法の副パネルを用意した場合でも、それらの保管は容易である。すなわち、上記構成によれば、全体の寸法を変更しながらも、保管が容易な化粧パネルを提供することができる。
【００１２】
また、主パネルから副パネル固定部までの寸法は、主パネル固定部の位置を変更することによって変更可能に構成されていてもよい。この構成によれば、主パネルから副パネル固定部までの寸法を容易に変更することが可能になる。
【００１３】
また、主パネルの側面部に切り欠きが形成され、ブラケットは、切り欠きに配置されていてもよい。この構成によれば、ブラケットを主パネルの切り欠きに配置することにより、主パネルを固定する際の主パネルとブラケットとの位置合わせを容易に行うことが可能になる。
【００１４】
また、副パネル及びブラケットの少なくとも一方が磁性材料によって形成され、副パネルは、磁石を介してブラケットに固定されていてもよい。この構成によれば、磁力を用いて副パネルを固定することが可能になる。すなわち、固定用の螺子等によって化粧パネルの意匠性を損なうことなく、副パネルを容易に固定することが可能になる。
【発明の効果】
【００１５】
本発明によれば、全体の寸法を変更可能であるとともに、保管が容易な化粧パネルを提供することができる。
【図面の簡単な説明】
【００１６】
【図１】実施形態に係る化粧パネルの斜視図である。
【図２】図１の化粧パネルの分解斜視図である。
【図３】図１の化粧パネルのＩＩＩ−ＩＩＩ断面における断面図である。
【図４】図１の化粧パネルの正面図である。
【図５】他の副パネルを配置した化粧パネルの正面図である。
【発明を実施するための形態】
【００１７】
以下、添付図面を参照しながら本発明の実施形態について説明する。説明の理解を容易にするため、各図面において同一の構成要素に対しては可能な限り同一の符号を付して、重複する説明は省略する。
【００１８】
まず、図１を参照しながら、本発明の実施形態に係る化粧パネル１の使用状態について説明する。図１は、実施形態に係る化粧パネル１の斜視図である。
【００１９】
図１に示されるように、化粧パネル１は、住居内の壁面９１に固定して使用される。図１は、壁面９１に固定されている化粧パネル１を右上から見た状態を示している。化粧パネル１は、その背面が壁面９１に当接した状態で固定される。
【００２０】
尚、本明細書では、化粧パネル１の使用状態を基準として方向を説明する。すなわち、化粧パネル１の使用状態において、正面視して右側を「右」と、左側を「左」と、奥側を「背面側」と称する。また、化粧パネル１の使用状態において、鉛直方向上側を「上」と称し、鉛直方向下側を「下」と称する。
【００２１】
化粧パネル１の表面（換言すれば、住居内側の面）には、室内端末１００が固定されている。室内端末１００は、インターホン装置の一部であり、不図示の室外端末と対になって使用される。室内端末１００は、室外端末と通信可能に構成されており、表示部１１０と、通話ボタン１２０と、を有している。表示部１１０は、室外端末のカメラによって撮影された画像を表示する。通話ボタン１２０は、室外端末を使用する来客者等と通話を開始する際にユーザが押すボタンである。
【００２２】
次に、図２及び図３を参照しながら、化粧パネル１の構成について説明する。図２は、化粧パネル１の分解斜視図である。図３は、図１のＩＩＩ−ＩＩＩ断面における断面図である。
【００２３】
図２に示されるように、化粧パネル１は、主パネル１０と、副パネル２０，３０と、ブラケット４０，５０と、を備えている。
【００２４】
主パネル１０は、化粧パネル１の中央部に配置される部材である。主パネル１０は、鋼板を加工することによって形成されている。詳細には、鋼板に曲げ加工を施すことにより、平板形状を呈する基部１１と、基部１１の周辺の側面部１２，１３（側面部１３については図３参照）と、が形成されている。側面部１２，１３には、その長手方向に沿って切り欠き１２１，１３１（切り欠き１３１については図３参照）が形成されている。また、打ち抜き加工を施すことにより、基部１１の中央部にパネル開口１１１が形成されている。パネル開口１１１は、正面視で矩形を呈する貫通孔である。
【００２５】
基部１１には、４つの固定孔１１２が形成されている。また、基部１１の背面には、複数の固定孔１１３〜１１４が形成されている。複数の固定孔１１３〜１１４は、それぞれ、約５ｍｍのピッチ間隔で、左右方向に直線状に並ぶように配置されている。
【００２６】
副パネル２０，３０は、主パネル１０と隣り合うように配置される部材である。副パネル２０，３０は、互いに同一形状の部材である。主パネル１０の左側方に配置される副パネル３０は、主パネル１０の右側方に配置される副パネル２０を１８０度回転させた姿勢で配置されている。
【００２７】
副パネル２０，３０は、磁性材料からなる鋼板を加工することによって形成されている。詳細には、鋼板に曲げ加工を施すことにより、平板形状を呈する基部２１，３１と、基部２１，３１の周辺の側面部２２，３２（側面部２２については図３参照）と、が形成されている。側面部２２，３２には、その長手方向に沿って切り欠き２２１，３２１（切り欠き２２１については図３参照）が形成されている。
【００２８】
副パネル２０，３０は、その上下方向寸法が、主パネル１０のものと略同一となるように形成されている。一方、副パネル２０，３０は、その左右方向寸法が、主パネル１０のものよりも小さくなるように形成されている。具体的には、主パネル１０の左右方向寸法は約２７０ｍｍであるのに対し、副パネル２０，３０の左右方向寸法は約３０ｍｍである。
【００２９】
ブラケット４０，５０は、主パネル１０及び副パネル２０，３０の背面側に配置される部材である。ブラケット４０，５０は、互いに同一形状の部材である。主パネル１０の左端部寄りに配置されるブラケット５０は、主パネル１０の右端部寄りに配置されるブラケット４０を１８０度回転させた姿勢で配置されている。
【００３０】
ブラケット４０，５０は、鋼板を加工することによって形成されている。詳細には、打ち抜き加工を施すことにより、パネル開口１１１と対応する位置に凹部４１，５１が形成されている。
【００３１】
ブラケット４０は、複数の貫通孔４２，４３と、貫通長孔４４，４５と、が形成されている。複数の貫通孔４２，４３は、それぞれ、所定のピッチ間隔で、左右方向に直線状に並ぶように配置されている。当該ピッチ間隔は、前述した複数の固定孔１１３〜１１４の同一の約５ｍｍである。また、貫通長孔４４，４５は、鉛直方向に互いに離間した位置に配置されている。ブラケット５０も、複数の貫通孔５２，５３と、貫通長孔５４，５５と、が形成されているが、前述したようにブラケット５０はブラケット４０と同一形状であるため、こここでは説明を省略する。
【００３２】
ブラケット４０，５０には、磁石７１，７２が固定されている。磁石７１，７２は、いずれも正面視で円環状を呈している。磁石７１は、ブラケット４０の上端部と下端部に１つずつ固定されており、磁石７２は、ブラケット５０の上端部と下端部に１つずつ固定されている。
【００３３】
引き続き図２及び図３を参照しながら、壁面９１への化粧パネル１の固定作業について説明する。
【００３４】
まず、図２に示されるように、ブラケット４０を主パネル１０の背面に配置し、ブラケット４０の貫通孔４２，４３と、主パネル１０の固定孔１１３，１１４とを正面視で重合させる。このとき、図３に示されるように、主パネル１０の側面部１２に形成されている切り欠き１２１にブラケット４０が配置されることにより、主パネル１０に対するブラケット４０の位置合わせを容易に行うことができる。
【００３５】
次に、ブラケット４０の貫通孔４２に２つの螺子６１を挿通させ、この螺子６１を主パネル１０の固定孔１１３に螺入させる。同様に、ブラケット４０の貫通孔４３に２つの螺子６２を挿通させ、この螺子６２を主パネル１０の固定孔１１４に螺入させる。
【００３６】
この螺子６１，６２により、主パネル１０がブラケット４０に対して固定される。すなわち、本実施形態では、螺子６１，６２が挿通されるブラケット４０の貫通孔４２，４３が、本発明の主パネル固定部に相当する。
【００３７】
また、主パネル１０は、ブラケット４０と同様に、ブラケット５０に対しても、螺子６３，６４により固定される。すなわち、本実施形態では、螺子６３，６４が挿通されるブラケット５０の貫通孔５２，５３も、本発明の主パネル固定部に相当する。
【００３８】
ここで、図３に示されるように、主パネル１０が固定されたブラケット４０，５０は、その一部が、主パネル１０の側面部１２，１３から突出するように配置される。磁石７１，７２は、このブラケット４０，５０の突出する部分に固定されている。後に詳述するように、側面部１２から磁石７１までの寸法と、側面部１３から磁石７２までの寸法とは、いずれも、副パネル２０，３０の寸法に対応するものになっている。
【００３９】
次に、主パネル１０を固定した状態のブラケット４０，５０を壁面９１に当接させ、壁開口９２を覆うように配置する。このとき、壁開口９２、ブラケット４０，５０の凹部４１，５１との間に形成される空間、及びパネル開口１１１は、正面視で互いに重合する。
【００４０】
次に、ブラケット４０の貫通長孔４４，４５に螺子６５，６６を挿通させ、この螺子６５，６６を壁面９１に螺入させる。同様に、ブラケット５０の貫通長孔５４，５５に螺子６７，６８を挿通させ、この螺子６７，６８を壁面９１に螺入させる。この螺子６５〜６８により、主パネル１０がブラケット４０，５０を介して壁面９１に固定される。
【００４１】
次に、主パネル１０の右側方に配置されている２つの磁石７１に対して、副パネル２０を固定する。前述したように、副パネル２０の基となる鋼板は磁性材料からなるため、副パネル２０は磁力によって磁石７１に固定される。同様に、主パネル１０の左側方に配置されている２つの磁石７２に対して、副パネル３０を固定する。すなわち、本実施形態では、磁石７１，７２が本発明の副パネル固定部に相当する。
【００４２】
副パネル２０，３０の固定完了により、主パネル１０の側方に副パネル２０，３０が隣り合うように配置され、化粧パネル１が構成される。図３に示されるように、主パネル１０の基部１１の表面と、副パネル２０，３０の基部２１，３１の表面とは、略同一平面に配置される。
【００４３】
室内端末１００は、このように構成された化粧パネル１に固定される。詳細には、室内端末１００は、不図示の螺子を主パネル１０の固定孔１１２に螺入ことにより、主パネル１０に固定される。室内端末１００には、壁開口９２、ブラケット４０，５０の凹部４１，５１との間に形成される空間、及びパネル開口１１１を挿通する不図示の配線の端部が接続されている。室内端末１００は、当該配線を介して室外端末と通信可能とされている。
【００４４】
ところで、主パネル１０の側方には、種々の寸法の副パネルを配置することができる。前述したように、副パネル２０，３０は左右方向寸法が約３０ｍｍとされているが、この副パネル２０，３０の他にも、異なる左右方向寸法の副パネルを主パネル１０の側方に配置することができる。左右方向寸法が５ｍｍピッチで増加する複数の副パネルが予め用意されており、主パネル１０の側方に配置する副パネルの選択は、壁開口９２の寸法や、壁開口９２周辺の壁面９１の汚損の範囲に基づいて決定することができる。
【００４５】
次に、図４及び図５を参照しながら、互いに異なる寸法の副パネルが配置された化粧パネル１，１Ａについて説明する。図４は、図１に示される化粧パネル１の正面図である。図５は、副パネル２０Ａ，３０Ａを配置した化粧パネル１Ａの正面図である。
【００４６】
壁開口９２（図２参照）の寸法や、壁開口９２周辺の壁面９１の汚損の範囲が比較的小さい場合は、図４に示されるように、左右方向寸法が比較的小さい副パネル２０，３０が主パネル１０の側方に配置される。前述したように、主パネル１０の左右方向寸法は約２７０ｍｍであり、副パネル２０，３０の左右方向寸法は約３０ｍｍである。したがって、化粧パネル１全体の左右方向寸法ＴＬ１は、３３０ｍｍ程度となる。
【００４７】
このとき、主パネル１０をブラケット４０に固定する螺子６１，６２は、ブラケット４０に形成されている複数の貫通孔４２，４３のうち、右端寄りのものに挿通されている。また、主パネル１０をブラケット５０に固定する螺子６３，６４は、ブラケット５０に形成されている複数の貫通孔５２，５３のうち、左端寄りのものに挿通されている。これにより、主パネル１０の右側の側面部１２から磁石７１の中央部までの寸法と、主パネル１０の左側の側面部１３から磁石７２の中央部までの寸法とは、比較的小さいＬ１になっている。
【００４８】
一方、壁開口９２の寸法や、壁開口９２周辺の壁面９１の汚損の範囲が比較的大きい場合は、図５に示されるように、左右方向寸法が比較的大きい副パネル２０Ａ，３０Ａが主パネル１０の側方に配置される。副パネル２０Ａ，３０Ａの左右方向寸法は約７５ｍｍである。したがって、化粧パネル１Ａ全体の左右方向寸法ＴＬ２は、４８０ｍｍ程度となる。
【００４９】
このとき、主パネル１０をブラケット４０に固定する螺子６１，６２は、ブラケット４０に形成されている複数の貫通孔４２，４３のうち、左端寄りのものに挿通されている。また、主パネル１０をブラケット５０に固定する螺子６３，６４は、ブラケット５０に形成されている複数の貫通孔５２，５３のうち、右端寄りのものに挿通されている。これにより、主パネル１０の右側の側面部１２から磁石７１の中央部までの寸法と、主パネル１０の左側の側面部１３から磁石７２の中央部までの寸法とは、比較的大きいＬ２になっている。
【００５０】
このような化粧パネル１の構成によれば、主パネル１０から副パネル固定部である磁石７１，７２までの寸法が変更可能であるため、種々の寸法の副パネルを主パネル１０と隣り合うように配置して固定することが可能になる。つまり、用意された種々の寸法の副パネルの中から、ブラケット４０，５０に固定する副パネルを選択することにより、化粧パネル１全体の寸法を変更することができる。
【００５１】
また、この構成によれば、副パネルの寸法は主パネル１０のものよりも小さいため、種々の寸法の副パネルを用意した場合でも、それらの保管は容易である。すなわち、上記構成によれば、全体の寸法を変更しながらも、保管が容易な化粧パネル１を提供することができる。
【００５２】
また、主パネル１０から副パネル固定部である磁石７１，７２までの寸法は、主パネル固定部（本実施形態では、螺子６１〜６４が挿通される貫通孔４２，４３，５２，５３）の位置を変更することによって変更可能に構成されている。この構成によれば、主パネル１０から磁石７１，７２までの寸法を容易に変更することが可能になる。
【００５３】
また、主パネル１０の側面部１２，１３に切り欠き１２１，１３１が形成され、ブラケット４０，５０は、切り欠き１２１，１３１に配置されている。この構成によれば、ブラケット４０，５０を主パネル１０の切り欠き１２１，１３１に配置することにより、主パネル１０を固定する際の主パネル１０とブラケット４０，５０との位置合わせを容易に行うことが可能になる。
【００５４】
また、副パネル２０，３０及びブラケット４０，５０の少なくとも一方が磁性材料によって形成され、副パネル２０，３０は、磁石７１，７２を介してブラケット４０，５０に固定されている。この構成によれば、この構成によれば、磁力を用いて副パネル２０，３０を固定することが可能になる。すなわち、固定用の螺子等によって化粧パネル１の意匠性を損なうことなく、副パネル２０，３０を容易に固定することが可能になる。
【００５５】
以上、具体例を参照しつつ本発明の実施の形態について説明した。しかし、本発明はこれらの具体例に限定されない。すなわち、これら具体例に、当業者が適宜設計変更を加えたものも、本発明の特徴を備えている限り、本発明の範囲に包含される。前述した各具体例が備える各要素及びその配置、材料、条件、形状、寸法などは、例示したものに限定されず、適宜変更することができる。
【符号の説明】
【００５６】
１，１Ａ：化粧パネル
１０：主パネル
１２，１３：側面部
２０，３０，２０Ａ，３０Ａ：副パネル
４０，５０：ブラケット
４２，４３，５２，５３：貫通孔（主パネル固定部）
７１，７２：磁石（副パネル固定部）
９１：壁面
【図１】
0006738082.tif 000002
【図２】
0006738082.tif 000003
【図３】
0006738082.tif 000004
【図４】
0006738082.tif 000005
【図５】
0006738082.tif 000006